(57)【特許請求の範囲】
【請求項１】
プラテンに載置された原稿の画像を読み取る画像読み取り部と、前記画像読み取り部を制御する制御部を有し、前記制御部は、前記原稿の画像全体の画像特徴点を抽出するための読み取り動作であるプレスキャンと、プレスキャンの結果に基づくガンマ補正を施すための画像全体の読み取り動作である本スキャンと、前記原稿の一部分の画像を読み取る予備画像読み取りと、を制御する画像処理装置であって、
前記制御部は、
前記予備画像読み取りにより読み取られた前記原稿の一部分の画像に基づいて、当該画像の輝度ヒストグラムを作成する輝度ヒストグラム作成手段と、
前記輝度ヒストグラム作成手段により作成された前記原稿の一部分の画像の輝度ヒストグラムに基づいて、前記原稿の画像が文字画像であるか、写真画像であるかの判断を行う画像判断手段と、
前記画像判断手段により、前記原稿の画像が文字画像であると判断された場合に、前記輝度ヒストグラム作成手段により作成された輝度ヒストグラムに基づき、最適なガンマ補正データの選択、或いは所定の演算式よりガンマ補正データの算出を行うガンマ補正データ設定手段と、
前記本スキャン時に、前記ガンマ補正データ設定手段により設定されたガンマ補正データに基づいて、ガンマ補正を実施するガンマ補正制御手段と、を備え、
前記画像判断手段により、前記原稿の画像が写真画像であると判断された場合に、前記原稿の全体画像のプレスキャン及び本スキャンを行うことを特徴とする画像処理装置。
【請求項２】
請求項１に記載の画像処理装置において、
前記制御部は、
前記原稿の画像が、文字画像であるか写真画像であるかの選択を行う画像選択手段を、さらに備え、
前記画像選択手段により文字画像が選択された場合には、
前記予備画像読み取りと、前記輝度ヒストグラム作成手段と、前記ガンマ補正データ設定手段と、前記ガンマ補正制御手段と、を動作させるように制御し、
前記画像選択手段により写真画像が選択された場合には、前記原稿の全体画像のプレスキャン及び本スキャンを行うことを特徴とする画像処理装置。
【請求項３】
請求項１又は請求項２に記載の画像処理装置において、
プラテンカバーの開閉状態を検知する検知手段を、さらに備え、
前記制御部は、前記検知手段による、前記プラテンカバーが閉じられていることの検知に基づいて、前記プレスキャン及び本スキャンを開始するホーム位置から所定の距離離れた待機位置より、前記画像読み取り部を前記ホーム位置に移動させながら、前記原稿の端部の一部分の画像を読み取る前記予備画像読み取りを実行することを特徴とする画像処理装置。
【請求項４】
請求項３に記載の画像処理装置において、
前記制御部は、
前記検知手段による、前記プラテンカバーが閉じられたことの検知後、前記ガンマ補正データ設定手段によって設定されたガンマ補正データを、少なくとも前記検知手段が、前記プラテンカバーが再び開かれたことを検知するまで記憶するガンマ補正データ記憶手段を備え、
前記ガンマ補正データ記憶手段に記憶されたガンマ補正データに基づいて本スキャンを行うことを特徴とする画像処理装置。
【請求項５】
請求項１〜４の何れか一項に記載の画像処理装置において、
基準色を有するシェーディング基準板と、
前記画像読み取り部により前記シェーディング基準板の基準色の輝度に基づくシェーディングデータを読み取るシェーディング基準読み取り手段と、
前記シェーディング基準読み取り手段により読み取られたシェーディングデータを第１のシェーディングデータとして記憶するシェーディングデータ記憶手段と、
前記シェーディング基準読み取り手段により読み取られた第２のシェーディングデータと、前記シェーディングデータ記憶手段に記憶された第１のシェーディングデータとにより、輝度補正値を算出する補正値算出手段と、
前記補正値算出手段により算出された輝度補正値に基づき、前記輝度ヒストグラム作成手段により作成された輝度ヒストグラムを補正する輝度ヒストグラム補正手段と、を備え、
前記ガンマ補正データ設定手段は、前記輝度ヒストグラム補正手段により補正された輝度ヒストグラムに基づいて、最適なガンマ補正データの選択、或いは所定の演算式よりガンマ補正データの算出を行うことを特徴とする画像処理装置。
【請求項６】
請求項１〜４の何れか一項に記載の画像処理装置において、
基準色を有するシェーディング基準板と、
前記画像読み取り部により前記シェーディング基準板の基準色の輝度に基づくシェーディングデータを読み取るシェーディング基準読み取り手段と、
前記シェーディング基準読み取り手段により読み取られたシェーディングデータを第１のシェーディングデータとして記憶するシェーディングデータ記憶手段と、
前記シェーディング基準読み取り手段により読み取られた第２のシェーディングデータと、前記シェーディングデータ記憶手段に記憶された第１のシェーディングデータとにより、輝度補正値を算出する補正値算出手段と、
前記補正値算出手段により算出された輝度補正値に基づき、前記ガンマ補正データ設定手段により設定されたガンマ補正データを補正するガンマ補正データ補正手段と、を備え、
前記ガンマ補正制御手段は、前記ガンマ補正データ補正手段により補正されたガンマ補正データに基づいて、ガンマ補正を実施することを特徴とする画像処理装置。
【発明の詳細な説明】
【０００１】
【発明の属する技術分野】
本発明は、原稿の画像を読み取り、読み取った画像の形成処理を行う画像処理装置に関する。
【０００２】
【従来の技術】
従来の複写機、ファクシミリ装置、スキャナ装置、或いはこれらの機能を兼ね備えた複合機等のような画像処理装置における画像の形成処理は、画像全体の画像特徴点を抽出するための読み取り動作であるプレスキャンを行い、その結果に基づくガンマ補正を本スキャン時に実施し、画像形成を行うというものが知られている（例えば、特許文献１参照。）。
【０００３】
このようなプレスキャン動作におけるスキャナヘッドの移動動作について、図１７に基づき説明する。
図１７に示されるように、画像処理装置のスキャナヘッド３は、原稿基準位置（Ａ）であるスキャナ待機位置から、基準白色板８の方向へ移動し（矢印 I）、第１のシェーディング補正位置（Ｂ）において１回目のシェーディング基準読み取りを行った後、第２のシェーディング補正位置（Ｃ）へ移動し（矢印 II）、２回目のシェーディング基準読み取りを行う。そして、スキャナヘッド３は、スキャナヘッド助走開始位置（Ｄ）へ移動し（矢印 III）、次いで、原稿基準位置（Ａ）から原稿端部位置（Ｅ）までの範囲をプレスキャンするようにプラテン１側へ移動する（矢印 IV）。そして、スキャナヘッド３は、スキャナヘッド助走開始位置（Ｄ）へ戻り（矢印 V）、次いで本スキャンを行う（矢印 VI）。そして、スキャナヘッド３は、スキャナン−ホームポジションセンサー位置（Ｆ）へ移動し（矢印 VII）、スキャナヘッド位置の調整が行われた後、原稿基準位置（Ａ）であるスキャナ待機位置へ戻る（矢印 VIII）。
【０００４】
このプレスキャン時（矢印 IV）にスキャナヘッド３が読み取った原稿の画像全体の画像特徴点は、２度のシェーディング基準読み取りにおいてスキャナヘッド３が読み取った基準白色板８の輝度（シェーディングデータ）に基づいて、シェーディング補正されている。そして、画像処理装置は、前記全体画像特徴点から設定、決定したガンマ補正を本スキャン時（矢印 VI）に実施する。ここで、シェーディング基準読み取りを２度行うのは、シェーディング補正の精度を上げるためである。
なお、全体画像特徴点に基づくガンマ補正を設定、決定する場合、ガンマ補正を行うためのガンマ補正データを所定の演算式より算出してもよく、予め記憶されている複数のガンマ補正データから最適なガンマ補正データを選択してもよい。
【０００５】
【特許文献１】
特開平７−３３６５０３
【０００６】
【発明が解決しようとする課題】
しかしながら、上記特許文献１の場合、プレスキャンにおける画像全体の読み取り動作や、読み取った画像全体の解析に時間がかかるという問題があった。
例えば、文字画像のように画像原稿の地肌濃度部分と文字濃度部分の、明所と暗所に２極化するような単純な輝度分布を有する画像においては、画像中、或いは画像毎の輝度の分布はほぼ同様であるため、画像の一部分の解析によりその画像全体の画像特徴点（２極化輝度分布）を推定することも可能であるので、時間のかかる画像全体の読み取り及び解析を、必ずしも行う必要はない。
つまり、このような画像全体の画像特徴点を抽出するためのプレスキャン動作は、写真画像のように様々な輝度の集合体として構成された画像に対しては有効な動作であるが、単純な輝度の集合体として構成された文字画像に対しては必ずしも必要な動作ではなく、非効率的な動作であった。
【０００７】
本発明の課題は、画像処理装置において、プラテンに載置された原稿の効率的な画像読み取り動作、画像処理を行う画像処理装置を提供することである。
【０００８】
【課題を解決するための手段】
以上の課題を解決するため、請求項１記載の発明は、
プラテンに載置された原稿の画像を読み取る画像読み取り部と、前記画像読み取り部を制御する制御部を有し、前記制御部は、前記原稿の画像全体の画像特徴点を抽出するための読み取り動作であるプレスキャンと、プレスキャンの結果に基づくガンマ補正を施すための画像全体の読み取り動作である本スキャンと、前記原稿の一部分の画像を読み取る予備画像読み取りと、を制御する画像処理装置であって、
前記制御部は、
前記予備画像読み取りにより読み取られた前記原稿の一部分の画像に基づいて、当該画像の輝度ヒストグラムを作成する輝度ヒストグラム作成手段と、
前記輝度ヒストグラム作成手段により作成された前記原稿の一部分の画像の輝度ヒストグラムに基づいて、前記原稿の画像が文字画像であるか、写真画像であるかの判断を行う画像判断手段と、
前記画像判断手段により、前記原稿の画像が文字画像であると判断された場合に、前記輝度ヒストグラム作成手段により作成された輝度ヒストグラムに基づき、最適なガンマ補正データの選択、或いは所定の演算式よりガンマ補正データの算出を行うガンマ補正データ設定手段と、
前記本スキャン時に、前記ガンマ補正データ設定手段により設定されたガンマ補正データに基づいて、ガンマ補正を実施するガンマ補正制御手段と、を備え、
前記画像判断手段により、前記原稿の画像が写真画像であると判断された場合に、前記原稿の全体画像のプレスキャン及び本スキャンを行うことを特徴とする。
【００１１】
請求項１記載の発明によれば、予備画像読み取りにより読み取られた原稿の一部分における画像の輝度ヒストグラムを輝度ヒストグラム作成手段が作成し、その作成された輝度ヒストグラムに基づき、画像判断手段が原稿の画像が文字画像であるか、写真画像であるかの判断を行う。
画像判断手段が原稿の画像が文字画像であると判断した場合、輝度ヒストグラム作成手段が作成した輝度ヒストグラムに基づき、ガンマ補正データ設定手段が、最適なガンマ補正を実施するためのガンマ補正データを選択或いは算出し、設定するので、その設定されたガンマ補正データに基づいて、原稿の全体画像を読み取る本スキャン時にガンマ補正を実施する画像処理を行うことができる。
また、画像判断手段が原稿の画像が写真画像であると判断した場合には、原稿の画像全体の特徴点を抽出するプレスキャンを行い、そのプレスキャンの結果に基づくガンマ補正を本スキャン時に行うことができる。
つまり、写真画像のようにプレスキャンが必要な画像に対してはプレスキャンを行う精密な画像処理を行うことができる。また、原稿の画像が文字画像である場合には、原稿の全体画像を読み取るプレスキャンを行わずに、原稿の一部分の画像を読み取る予備画像読み取りを実行することにより、本スキャン時のガンマ補正を実施することができ、処理時間の短縮を図った画像処理を行うことができる。
よって、原稿の画像に応じた効率のよい画像処理を行うことができる。
【００１２】
請求項２記載の発明は、請求項１に記載の画像処理装置において、
前記制御部は、
前記原稿の画像が、文字画像であるか写真画像であるかの選択を行う画像選択手段を、さらに備え、
前記画像選択手段により文字画像が選択された場合には、
前記予備画像読み取りと、前記輝度ヒストグラム作成手段と、前記ガンマ補正データ設定手段と、前記ガンマ補正制御手段と、を動作させるように制御し、
前記画像選択手段により写真画像が選択された場合には、前記原稿の全体画像のプレスキャン及び本スキャンを行うことを特徴とする。
【００１３】
請求項２記載の発明によれば、請求項１に記載の発明と同様の効果が得られることは無論のこと、特に、画像選択手段により文字画像が選択された場合には、予備画像読み取りにより読み取った原稿の一部分における画像の輝度ヒストグラムを輝度ヒストグラム作成手段が作成し、その作成された輝度ヒストグラムに基づき、ガンマ補正データ設定手段が、最適なガンマ補正を実施するためのガンマ補正データを選択或いは算出し、設定するので、その設定されたガンマ補正データに基づいて、原稿の全体画像を読み取る本スキャン時にガンマ補正を実施する画像処理を行うことができる。
また、画像選択手段により写真画像が選択された場合には、原稿の画像全体の特徴点を抽出するプレスキャンを行い、そのプレスキャンの結果に基づくガンマ補正を本スキャン時に行うことができる。
つまり、写真画像のようにプレスキャンが必要な画像に対しては予め写真画像を選択し、プレスキャンを行う精密な画像処理を行うことができる。また、原稿の画像が文字画像である場合には、予め文字画像を選択し、原稿の全体画像を読み取るプレスキャンを行わずに、原稿の一部分の画像を読み取る予備画像読み取りを実行することにより、本スキャン時のガンマ補正を実施する画像処理を行うことができる。
よって、原稿の画像を選択することによって、更に効率的な画像処理を行うことができる。
【００１４】
請求項３記載の発明は、請求項１又は請求項２に記載の画像処理装置において、
プラテンカバーの開閉状態を検知する検知手段を、さらに備え、
前記制御部は、前記検知手段による、前記プラテンカバーが閉じられていることの検知に基づいて、前記プレスキャン及び本スキャンを開始するホーム位置から所定の距離離れた待機位置より、前記画像読み取り部を前記ホーム位置に移動させながら、前記原稿の端部の一部分の画像を読み取る前記予備画像読み取りを実行することを特徴とする。
【００１５】
請求項３記載の発明によれば、請求項１又は請求項２に記載の発明と同様の効果が得られることは無論のこと、特に、制御部は、検知手段によるプラテンカバーが閉じられていることの検知に基づいて、画像読み取り部を所定の待機位置よりホーム位置に移動させながら、原稿の端部の一部分の画像を読み取らせる予備画像読み取りを実行するので、予備画像読み取り後、画像読み取り部はホーム位置から直ぐプレスキャン、本スキャン動作に移ることができるので、予備画像読み取りの動作からプレスキャンや本スキャンの動作に移行する際に無駄がなく、処理動作の効率化が図れる。
【００１６】
例えば、画像読み取り部としての画像読取装置のスキャナヘッドが、プレスキャンや本スキャン時のスキャン方向とは逆方向のスキャン（バックスキャン）を行うように、所定の待機位置からホーム位置まで移動しつつ、原稿の端部の一部分の画像を読み取る。そして、その予備画像読み取り後、そのスキャナヘッドがホーム位置から所定の方向に移動するプレスキャン、本スキャン動作に移ることにより、スキャナヘッドが予備画像読み取りの動作から無駄な動作を行うことなく、プレスキャンや本スキャンの動作にスムーズに移行することができる。
【００１７】
また、原稿がプラテンに載置され、検知手段によるプラテンカバーが閉じられていることの検知に基づいて、予備画像読み取りを実行するので、予備画像読み取りの動作の操作指示の必要がなく、処理動作の効率化が図れる。
【００１８】
請求項４記載の発明は、請求項３に記載の画像処理装置において、
前記制御部は、
前記検知手段による、前記プラテンカバーが閉じられたことの検知後、前記ガンマ補正データ設定手段によって設定されたガンマ補正データを、少なくとも前記検知手段が、前記プラテンカバーが再び開かれたことを検知するまで記憶するガンマ補正データ記憶手段を備え、
前記ガンマ補正データ記憶手段に記憶されたガンマ補正データに基づいて本スキャンを行うことを特徴とする。
【００１９】
請求項４記載の発明によれば、請求項３に記載の発明と同様の効果が得られることは無論のこと、特に、検知手段によるプラテンカバーが閉じられたことの検知後、ガンマ補正データ設定手段によって設定されたガンマ補正データを、少なくともプラテンカバーが再び開かれたと検知手段が検知するまでガンマ補正データ記憶手段に記憶することができるので、原稿の処理毎にガンマ補正データの選択をする必要がなくなり、処理動作の効率化が図れる。
【００２０】
請求項５記載の発明は、請求項１〜４の何れか一項に記載の画像処理装置において、
基準色を有するシェーディング基準板と、
前記画像読み取り部により前記シェーディング基準板の基準色の輝度に基づくシェーディングデータを読み取るシェーディング基準読み取り手段と、
前記シェーディング基準読み取り手段により読み取られたシェーディングデータを第１のシェーディングデータとして記憶するシェーディングデータ記憶手段と、
前記シェーディング基準読み取り手段により読み取られた第２のシェーディングデータと、前記シェーディングデータ記憶手段に記憶された第１のシェーディングデータとにより、輝度補正値を算出する補正値算出手段と、
前記補正値算出手段により算出された輝度補正値に基づき、前記輝度ヒストグラム作成手段により作成された輝度ヒストグラムを補正する輝度ヒストグラム補正手段と、を備え、
前記ガンマ補正データ設定手段は、前記輝度ヒストグラム補正手段により補正された輝度ヒストグラムに基づいて、最適なガンマ補正データの選択、或いは所定の演算式よりガンマ補正データの算出を行うことを特徴とする。
【００２１】
請求項５記載の発明によれば、請求項１〜４の何れか一項に記載の発明と同様の効果が得られることは無論のこと、特に、画像処理装置における補正値算出手段が、シェーディング基準読み取り手段により読み取られたシェーディング基準板の基準色の輝度に基づく第２のシェーディングデータと、シェーディングデータ記憶手段に記憶された第１のシェーディングデータとにより、輝度補正値を算出する。そして、輝度ヒストグラム補正手段がその輝度補正値に基づき、輝度ヒストグラム作成手段により作成された輝度ヒストグラムを補正し、ガンマ補正データ設定手段がその補正された輝度ヒストグラムに基づいて、ガンマ補正データの選択、或いは所定の演算式よりガンマ補正データの算出を行い、最適なガンマ補正データを設定する。
【００２２】
ここで、シェーディングデータとは、例えば、画像処理装置における画像読み取り部の受光部であるＣＣＤユニットが読み取った画像信号に含まれる、画素毎の感度斑などの歪成分などを補正するためのデータである。このシェーディングデータは、ＣＣＤユニットの温度変化等に伴いシフトするので、所定のタイミング毎に、そのシェーディングデータを更新することが望ましい。
【００２３】
そこで、画像処理装置は、第２のシェーディングデータと第１のシェーディングデータとにより補正値算出手段が算出した輝度補正値に基づき、例えば、第１のシェーディングデータで補正をして作成された輝度ヒストグラムを、輝度ヒストグラム補正手段が、第２のシェーディングデータに基づく輝度ヒストグラムとして補正することで、第２のシェーディングデータで補正された画像に最適な輝度ヒストグラムとすることができる。
【００２４】
つまり、画像処理装置のガンマ補正データ設定手段は、第１のシェーディングデータの影響が打ち消され、第２のシェーディングデータに対応するように補正された輝度ヒストグラムに基づいて、ガンマ補正データの選択、或いは所定の演算式よりガンマ補正データの算出を行い、最適なガンマ補正データを設定することができる。
よって、画像処理装置は、第１のシェーディングデータの影響を受けることなく、所定の基準に準じた画像処理が可能になる。
【００２５】
請求項６記載の発明は、請求項１〜４の何れか一項に記載の画像処理装置において、
基準色を有するシェーディング基準板と、
前記画像読み取り部により前記シェーディング基準板の基準色の輝度に基づくシェーディングデータを読み取るシェーディング基準読み取り手段と、
前記シェーディング基準読み取り手段により読み取られたシェーディングデータを第１のシェーディングデータとして記憶するシェーディングデータ記憶手段と、
前記シェーディング基準読み取り手段により読み取られた第２のシェーディングデータと、前記シェーディングデータ記憶手段に記憶された第１のシェーディングデータとにより、輝度補正値を算出する補正値算出手段と、
前記補正値算出手段により算出された輝度補正値に基づき、前記ガンマ補正データ設定手段により設定されたガンマ補正データを補正するガンマ補正データ補正手段と、を備え、
前記ガンマ補正制御手段は、前記ガンマ補正データ補正手段により補正されたガンマ補正データに基づいて、ガンマ補正を実施することを特徴とする。
【００２６】
請求項６記載の発明によれば、請求項１〜４の何れか一項に記載の発明と同様の効果が得られることは無論のこと、特に、画像処理装置における補正値算出手段が、シェーディング基準読み取り手段により読み取られたシェーディング基準板の基準色の輝度に基づく第２のシェーディングデータと、シェーディングデータ記憶手段に記憶された第１のシェーディングデータとにより、輝度補正値を算出する。そして、ガンマ補正データ補正手段がその輝度補正値に基づき、ガンマ補正データ設定手段により設定されたガンマ補正データを補正し、ガンマ補正制御手段がその補正されたガンマ補正データに基づいて、ガンマ補正を実施する。
【００２７】
つまり、画像処理装置は、第２のシェーディングデータと第１のシェーディングデータとにより補正値算出手段が算出した輝度補正値に基づき、例えば、第１のシェーディングデータで補正されて設定されたガンマ補正データを、ガンマ補正データ補正手段が、第２のシェーディングデータに基づくガンマ補正データとして補正することで、第２のシェーディングデータで補正された画像に最適なガンマ補正データとすることができる。そして、画像処理装置のガンマ補正制御手段は、第１のシェーディングデータの影響が打ち消され、第２のシェーディングデータに対応するように補正されたガンマ補正データに基づいて、ガンマ補正を実施することができる。
よって、画像処理装置は、第１のシェーディングデータの影響を受けることなく、所定の基準に準じた画像処理が可能になる。
【００２８】
【発明の実施の形態】
以下、図１から図１６を参照して本発明の実施の形態を詳細に説明する。
〔第１の実施の形態〕
図１は、本発明の第１の実施の形態における画像処理装置のプラテンカバーが開いた状態を示す斜視図である。図２は、同画像処理装置における画像読み取り部及びプラテンカバーに設けられた原稿送り装置を模式的に示した断面図である。図３は、同画像処理装置の要部構成を示すブロック図である。
【００２９】
図１、図２に示されるように、画像処理装置１００の本体上面には、原稿が載置されるプラテン１が設けられている。また、画像処理装置１００には開閉自在なプラテンカバー２が設けられており、プラテンカバー２は閉じられた際にプラテン１を覆う。プラテンカバー２には原稿送り装置７が設けられており、原稿送り装置７は、原稿トレイ７ａ、原稿挿入部７ｂ、原稿搬送ローラ７ｃ、原稿搬送ベルト７ｄ、ベルト駆動ローラ７ｅ、原稿排出部７ｆ、排紙トレイ７ｇ、等より構成されている。
【００３０】
画像処理装置１００の内部であって、プラテン１の下部側には、プラテン１に載置された原稿の画像を読み取る画像読み取り部２０が備えられている。画像読み取り部２０は、例えば、露光ランプ３ａ（例えば、蛍光灯、ハロゲンランプ等）、ミラー３ｂ等より構成されるスキャナヘッド３と、そのスキャナヘッド３からの読み取り散乱光を受光するＣＣＤユニット４、ミラー５等から構成されている。また、プラテン１の上面の一方の端部側にはスケール板６が備えられており、そのスケール板６の下部側にはシェーディング基準板としての白色基準板８が備えられている。
【００３１】
この画像読み取り部２０は、図示しない駆動部によりスキャナヘッド３が所定の方向へ移動（往復移動）されることに応じて、プラテン１に載置された原稿の画像を読み取るスキャン動作を行う。このスキャン動作には、例えば、原稿の全体画像の濃度などを確認するためにその画像を読み取るプレスキャン、原稿の全体画像を画像形成のためにその画像を読み取る本スキャン、また後述する予備画像読み取り手段１１に基づき、原稿の一部分の画像を読み取る予備画像読み取り動作（バックスキャン）などがある。
白色基準板８は、所定の画像読み取り条件における画像処理を画像処理装置１００が行っているか否かを確認する際の基準となる、所定の基準色（白色）を有する樹脂製の板状部材である。
なお、ここで、プラテン１のスケール板６側をスキャナヘッド３のホーム位置ＨＰとし、ホーム位置ＨＰから所定の間隔離れた位置をスキャナヘッド３の待機位置ＷＰとする。
【００３２】
また、図３に示されるように、画像処理装置１００は、画像処理装置１００を統括制御し、各種処理および判断等を行う制御部１０を備えており、その制御部１０には、前述した画像読み取り部２０の他、記憶部３０、操作部４０、検知部５０、等がバスなどを介して接続されている。
【００３３】
制御部１０は、演算処理を実行するＣＰＵ１０ａと、制御、判断等各種処理用の各種プログラムや、各種データが格納されたＲＯＭ１０ｂと、各種処理における作業領域や各種処理によって生成されたデータを一時的に記憶する記憶領域を備えるＲＡＭ１０ｃと、で概略構成されている。
【００３４】
ＣＰＵ１０ａは、ＲＯＭ１０ｂに記録されて、格納されている画像処理装置１００を制御するためのシステムプログラム及び各種処理プログラム等をＲＡＭ１０ｃに読み出して、読み出したプログラムとの協働により、画像処理装置１００全体の制御を行う。
【００３５】
ＲＯＭ１０ｂは、不揮発性の半導体メモリ等により構成され、画像処理装置１００に対応するシステムプログラム及び該システムプログラム上で実行可能な各種処理プログラム等を記憶し、それら各種プログラムを格納している。また、ＲＯＭ１０ｂは、原稿の画像のガンマ補正基準となる複数のガンマ補正データＧＤを格納しており、それらガンマ補正データＧＤを記録する記録手段６０を有する。
【００３６】
ＲＡＭ１０ｃは、ＣＰＵ１０ａにより実行制御される各種処理において、ＲＯＭ１０ｂから読み出されたプログラム、データ等の一時的な作業領域、格納領域となる。また、ＲＡＭ１０ｃは、後述するガンマ補正データ設定手段１３により設定されたガンマ補正データＧＤを一時的に記憶するガンマ補正データ記憶手段７０ａを有する。
【００３７】
このような制御部１０は、画像読み取り部２０により読み取られた原稿の画像の各種処理や、操作部４０、検知部５０等の操作信号、検知信号等に基づく制御、判断等を行う。
また、本実施の形態において、制御部１０は、ＣＰＵ１０ａと、ＲＯＭ１０ｂに格納された各処理プログラムとの協働によるソフトウエア処理によって実現される、予備画像読み取り手段１１、輝度ヒストグラム作成手段１２、ガンマ補正データ設定手段１３、ガンマ補正制御手段１４、画像判断手段１５等を備えている。
【００３８】
制御部１０の予備画像読み取り手段１１は、画像読み取り部２０が原稿における所定の範囲に対応する一部分の画像を読み取る予備画像読み取り動作を行うために、画像読み取り部２０のスキャナヘッド３がその所定の範囲を移動するように、図示しない駆動部や画像読み取り部２０の動作制御を行い、その原稿の一部分の画像を読み取る。
【００３９】
また、制御部１０の輝度ヒストグラム作成手段１２は、画像読み取り部２０により読み取られた原稿の画像に基づき、その画像の輝度ヒストグラムｈｇ（ＨＧ）を作成する。
【００４０】
また、制御部１０のガンマ補正データ設定手段１３は、輝度ヒストグラム作成手段１２が作成した輝度ヒストグラムｈｇ，ＨＧに基づき、その画像に最適なガンマ補正を実施するためのガンマ補正データＧＤを、制御部１０のＲＯＭ１０ｂ（記録手段６０）に記録、格納されたガンマ補正データ群の中から選択し、設定する。
【００４１】
また、制御部１０のガンマ補正制御手段１４は、ガンマ補正データ設定手段１３により選択、設定されたガンマ補正データＧＤに基づき、本スキャン時にガンマ補正を実施する。
【００４２】
また、制御部１０の画像判断手段１５は、画像読み取り部２０により読み取られた原稿の一部の画像から輝度ヒストグラム作成手段１２が作成した輝度ヒストグラムｈｇに基づいてその画像が文字画像であるか、写真画像であるかを判断する。
ここで、文字画像には、白地に文字が印刷された地肌型のものと、文字が白抜きされて印刷された反転型の何れも含まれるものとする。また、写真画像には、モノクロ写真、カラー写真以外にも、絵画やデッサン等、文字画像以外のものが含まれるものとする。
【００４３】
なお、上記予備画像読み取り手段１１、輝度ヒストグラム作成手段１２、ガンマ補正データ設定手段１３、ガンマ補正制御手段１４、画像判断手段１５は、ＣＰＵ１０ａと、ＲＯＭ１０ｂに格納された各処理プログラムとの協働によるソフトウエア処理によって実現されるとしたが、各処理プログラムの機能をＣＰＵ１０ａの制御下において動作する専用ハードウエアにより実現する構成としてもよい。
【００４４】
画像読み取り部２０は、画像処理装置１００のプラテン１に載置された原稿の画像や、白色基準板８の輝度に基づくシェーディングデータを読み取る。
記憶部３０は、例えば、光学系・磁気系の記憶媒体等により構成され、各種データが記憶される。
操作部４０は、当該画像処理装置１００の各種動作を指示するためのものであり、例えば、操作入力キー４１、表示画面４２等を備えている。操作入力キー４１は、画像処理装置１００の設定や運転動作指示を入力するように構成されたものであり、例えば、操作ボタン、リモコン等である。表示画面４２は、例えば、ＬＣＤなどにより構成され、画像処理装置１００の設定、運転状態等を表示する。なお、操作部４０が、タッチパネルである場合、表示画面４２は操作入力キーを兼ね備える構成となる。
検知部５０は、画像処理装置１００のプラテン１における原稿の有無の検知や原稿のサイズの検知、また、プラテンカバー２の開閉を検知する検知手段として構成されたものであり、例えば、フォトセンサ、接触スイッチセンサ等である。
【００４５】
次に、前述のように構成されている画像処理装置１００の動作を、図４に示すフローチャートに沿って説明する。
図４に示すように、画像処理装置１００の使用中に、検知部５０が、画像処理装置１００のプラテンカバー２が閉じられたこと検知し、検知部５０からプラテンカバー２が閉じられたことを示す信号が制御部１０に入力されると（ステップＳ１０１；Ｙｅｓ）、ステップＳ１０２へ進む。次いで、検知部５０が、画像処理装置１００のプラテン１に原稿が載置されていることを検知し、検知部５０からプラテン１に原稿が載置されていることを示す信号が制御部１０に入力されると（ステップＳ１０２；Ｙｅｓ）、検知部５０は、原稿のサイズを検知するとともに、原稿のサイズを示す信号を制御部１０へ入力する（ステップＳ１０３）。一方、検知部５０からプラテン１に原稿が載置されていないことを示す信号が制御部１０に入力されると（ステップＳ１０２；Ｎｏ）、ステップＳ１０１に戻る。
【００４６】
次いで、制御部１０の予備画像読み取り手段１１は、画像読み取り部２０のスキャナヘッド３を所定の待機位置ＷＰ（例えば、図１、図２に示す待機位置ＷＰ）からスキャン開始位置であるホーム位置ＨＰ（例えば、図１、図２に示すホーム位置ＨＰ）に移動させながら、検知した原稿のサイズに基づき原稿主走査方向巾で原稿端部の一部分の画像を読み取る予備画像読み取り動作を行わせる（ステップＳ１０４）。次いで、制御部１０の輝度ヒストグラム作成手段１２は、画像読み取り部２０が読み取った原稿の画像に基づき、その原稿端部の一部分の画像の輝度ヒストグラムｈｇを作成する（ステップＳ１０５）。次いで、制御部１０の画像判断手段１５は、作成した輝度ヒストグラムｈｇに基づいて、この画像が文字画像であるか、写真画像であるかの判断を行う（ステップＳ１０６）。
【００４７】
ここで、前述のステップＳ１０６において行われる、読み取った原稿の画像が文字画像であるか、写真画像であるかの判断について詳しく説明する。例えば、図５（ａ）に示される輝度ヒストグラムｈｇは、通常の文字原稿（明るい地肌の原稿に、濃い（暗い）色の文字）の輝度ヒストグラムｈｇを模式的に示すものであり、図５（ｂ）に示される輝度ヒストグラムｈｇは、写真原稿の輝度ヒストグラムｈｇを模式的に示すものである。これら輝度ヒストグラムｈｇがどのような原稿であるか、判断する動作を図６に示すフローチャートに沿って説明する。
まず、輝度ヒストグラムｈｇにおける輝度の度数最大値（Ｈmax）と、しきい値Ｌ．Ｈ．（Ｌｉｍｉｔ  Ｈ）との比較を行う（ステップＳ１）。Ｈmaxがしきい値Ｌ．Ｈ．より小さい（低い）と判定された場合（ステップＳ１；Ｎｏ）、その輝度ヒストグラムｈｇはその他型の画像（写真原稿）であると判断される。一方、Ｈmaxがしきい値Ｌ．Ｈ．より大きい（高い）と判定された場合（ステップＳ１；Ｙｅｓ）、ステップＳ２へ進む。
次いで、輝度ヒストグラムｈｇにおける度数最大値（Ｈmax）に対応する輝度最大値（Ｉmax）と、しきい値Ｌ．Ｉ．（Ｌｉｍｉｔ  Ｉ）との比較を行う（ステップＳ２）。Ｉmaxがしきい値Ｌ．Ｉ．より大きい（高い）と判定された場合（ステップＳ２；Ｙｅｓ）、その輝度ヒストグラムｈｇは地肌型の画像（通常の文字原稿）であると判断される。一方、Ｉmaxがしきい値Ｌ．Ｉ．より小さい（低い）と判定された場合（ステップＳ２；Ｎｏ）、その輝度ヒストグラムｈｇは反転型の画像（黒・暗色地に白抜き文字原稿）であると判断される。
【００４８】
前述のように、輝度ヒストグラムｈｇにおける度数最大値（Ｈmax）としきい値Ｌ．Ｈ．との比較、及び輝度最大値（Ｉmax）としきい値Ｌ．Ｉ．との比較に基づき、その輝度ヒストグラムｈｇの画像の種類、状態等の判断を行うことができる。なお、このようなしきい値等、判定基準を増やすことにより、より細かな、多様な画像の種類、状態等の判断を行うことができる。
【００４９】
次いで、制御部１０が、読み取った原稿の画像が文字画像であると判断した場合（ステップＳ１０６；文字）、制御部１０のガンマ補正データ設定手段１３は、ステップＳ１０５で作成した輝度ヒストグラムｈｇに基づいて、制御部１０のＲＯＭ１０ｂ（記録手段６０）からその画像に最適なガンマ補正を実施するためのガンマ補正データＧＤを選択するとともに、制御部１０のＲＡＭ１０ｃ（ガンマ補正データ記憶手段７０ａ）にそのガンマ補正データＧＤを記憶する（ステップＳ１０７）。そして、制御部１０のガンマ補正制御手段１４は、原稿の全体画像を読み取る本スキャンとともに、選択し、記憶されたガンマ補正データＧＤに基づくガンマ補正を行い（ステップＳ１０８）、画像形成処理を行う（ステップＳ１０９）。
次いで、制御部１０は、プラテンカバー２が開かれたか否かの判断を行う（ステップＳ１１０）。プラテンカバー２が開かれたことを示す信号が制御部１０に入力されない場合（ステップＳ１１０；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ１１０；Ｙｅｓ）、制御部１０のＲＡＭ１０ｃに記憶したガンマ補正データＧＤの記憶を消去して（ステップＳ１１１）、本処理を終了する。
【００５０】
一方、制御部１０が、読み取った原稿の画像が写真画像であると、判断した場合（ステップＳ１０６；写真）、制御部１０は、検知部５０の原稿サイズの検知信号に基づき、画像読み取り部２０による原稿の画像全体を読み取るプレスキャンを行い（ステップＳ１１２）、制御部１０の輝度ヒストグラム作成手段１２は、画像読み取り部２０が読み取った原稿の画像に基づき、その原稿の画像全体の全体輝度ヒストグラムＨＧを作成する（ステップＳ１１３）。そして、制御部１０のガンマ補正データ設定手段１３は、ステップＳ１１３で作成した全体輝度ヒストグラムＨＧに基づき、ＲＯＭ１０ｂ（記録手段６０）からその画像に最適なガンマ補正を実施するためのガンマ補正データＧＤを選択するとともに、ＲＡＭ１０ｃ（ガンマ補正データ記憶手段７０ａ）にそのガンマ補正データＧＤを記憶する（ステップＳ１１４）。そして、制御部１０のガンマ補正制御手段１４は、原稿の全体画像を読み取る本スキャンとともに、選択し、記憶されたガンマ補正データＧＤに基づくガンマ補正を行い（ステップＳ１１５）、画像形成処理を行う（ステップＳ１１６）。
【００５１】
次いで、制御部１０は、プラテンカバー２が開かれたか否かの判断を行う（ステップＳ１１７）。プラテンカバー２が開かれたことを示す信号が制御部１０に入力されない場合（ステップＳ１１７；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ１１７；Ｙｅｓ）、制御部１０のＲＡＭ１０ｃに記憶したガンマ補正データＧＤの記憶を消去して（ステップＳ１１８）、本処理を終了する。
【００５２】
ここで、輝度ヒストグラムｈｇ、全体輝度ヒストグラムＨＧに基づき、制御部１０のＲＯＭ１０ｂ（記録手段６０）からその画像に最適なガンマ補正を実施するためのガンマ補正データＧＤの選択について詳しく説明する。例えば、図７は地肌型の画像（通常の文字原稿）の輝度ヒストグラムｈｇ，ＨＧと、その輝度ヒストグラムｈｇ，ＨＧに対応したガンマ補正データＧＤを示したものである。また、図８は反転型の画像（黒・暗色地に白抜き文字原稿）の輝度ヒストグラムｈｇ，ＨＧと、その輝度ヒストグラムｈｇ，ＨＧに対応したガンマ補正データＧＤを示したものである。また、図９はその他型の画像（写真原稿）の輝度ヒストグラムｈｇ，ＨＧと、その輝度ヒストグラムｈｇ，ＨＧに対応したガンマ補正データＧＤを示したものである。
【００５３】
前述のように、輝度ヒストグラムｈｇ，ＨＧにおける度数最大値（Ｈmax）、輝度最大値（Ｉmax）、最明値（Ｉlight）、最暗値（Ｉdark）、山裾部分値（Ｉridge）、山裾値（Ｈridge）、等の基準値や、輝度ヒストグラムｈｇ，ＨＧのカーブ状態等に対応した、複数のガンマ補正データＧＤが設定され、制御部１０のＲＯＭ１０ｂの記録手段６０に記録されている。そして、制御部１０が制御処理プログラムに応じて、その画像の輝度ヒストグラムｈｇ、全体輝度ヒストグラムＨＧに最適と判断するガンマ補正データＧＤを制御部１０のＲＯＭ１０ｂ（記録手段６０）から選択し、そのガンマ補正データＧＤに基づくガンマ補正を行う。
【００５４】
このように、画像処理装置１００において、画像読み取り部２０が読み取った原稿端部の一部分の画像の輝度ヒストグラムｈｇに基づき、その画像が文字画像であるか、写真画像であるかの選択判断が行われるので、画像全体の解析が必要である写真画像である場合には、画像全体をプレスキャンする画像処理を行う制御を行うことができる。また、画像全体をプレスキャンする必要がない文字画像の場合には、画像読み取り部２０が読み取った原稿端部の一部分の画像の輝度ヒストグラムｈｇに基づくガンマ補正を行うことができるので、画像処理時間を短縮することができる。よって、原稿の画像に応じた自動画像処理を行うことができる。
【００５５】
〔第２の実施の形態〕
次に、本発明の第２の実施の形態について説明する。なお、第１の実施の形態と同一部分には同一符号を付し、異なる部分についてのみ説明する。
画像処理装置において、例えば、写真原稿の画像処理を行うと決定している場合、その写真原稿に対し、文字画像であるか、写真画像であるかの判断は不要である。つまり、写真原稿の画像処理を予め選択して行う場合、その原稿に対し、予備画像読み取りを行い、輝度ヒストグラムｈｇを作成し、文字画像か写真画像かの判断を行わず、プレスキャン動作に進むことで処理時間の短縮を図れる。
【００５６】
画像処理装置２００における操作部４０は、図１０に示すように、画像モード（例えば、写真モード、文字モード等）の選択が可能な画像選択手段４１を備える。具体的には、例えば、画像処理装置２００は、画像選択手段４１として、写真モードでの画像処理を行うことを選択、入力するための写真モードキーや、文字モードでの画像処理を行うことを選択、入力するための文字モードキーを備えている。そして、画像選択手段４１であるそれらキーが押下されると、押下されたことを示す押下信号が出力され、この画像選択手段４１を介して選択された画像モードを示すその押下信号が、制御部１０に送られる。
【００５７】
そして、制御部１０は、操作部４０の画像選択手段４１において選択された画像モードに基づき、その画像モードに応じた画像処理を行う。具体的に、画像処理装置２００の動作を、図１１に示すフローチャートに沿って説明する。
図１１に示すように、画像形成装置１００の使用中に、検知部５０が、画像処理装置２００のプラテンカバー２が閉じられたこと検知し、検知部５０からプラテンカバー２が閉じられたことを示す信号が制御部１０に入力されると（ステップＳ２０１；Ｙｅｓ）、ステップＳ２０２へ進む。次いで、検知部５０が、画像処理装置２００のプラテン１に原稿が載置されていることを検知し、検知部５０からプラテン１に原稿が載置されていることを示す信号が制御部１０に入力されると（ステップＳ２０２；Ｙｅｓ）、検知部５０は、原稿のサイズを検知するとともに、原稿のサイズを示す信号を制御部１０へ入力する（ステップＳ２０３）。一方、検知部５０からプラテン１に原稿が載置されていないことを示す信号が制御部１０に入力されると（ステップＳ２０２；Ｎｏ）、ステップＳ２０１に戻る。
【００５８】
次いで、制御部１０は、どのような画像モード（例えば、写真モード、文字モード）が選択されているか判断する（ステップＳ２０４）。制御部１０が、操作部４０の画像選択手段４１から写真モードが選択されたことを示す信号を検知すると（ステップＳ２０４；写真モード）、制御部１０は、原稿の画像全体を読み取るプレスキャンを行い（ステップＳ２０５）、制御部１０の輝度ヒストグラム作成手段１２は、画像読み取り部２０が読み取った原稿の画像に基づき、その原稿の画像全体の全体輝度ヒストグラムＨＧを作成する（ステップＳ２０６）。そして、制御部１０のガンマ補正データ設定手段１３は、ステップＳ２０６で作成した全体輝度ヒストグラムＨＧに基づき、制御部１０のＲＯＭ１０ｂ（記録手段６０）からその画像に最適なガンマ補正を実施するためのガンマ補正データＧＤを選択するとともに、制御部１０のＲＡＭ１０ｃ（ガンマ補正データ記憶手段７０ａ）にそのガンマ補正データＧＤを記憶する（ステップＳ２０７）。そして、制御部１０のガンマ補正制御手段１４は、原稿の全体画像を読み取る本スキャンとともに、選択し、記憶されたガンマ補正データＧＤに基づくガンマ補正を行い（ステップＳ２０８）、画像形成処理を行う（ステップＳ２０９）。
【００５９】
次いで、制御部１０は、プラテンカバー２が開かれたか否かの判断を行う（ステップＳ２１０）。プラテンカバー２が開かれたことを示す信号が制御部１０に入力されない場合（ステップＳ２１０；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ２１０；Ｙｅｓ）、制御部１０のＲＡＭ１０ｃに記憶したガンマ補正データＧＤの記憶を消去して（ステップＳ２１１）、本処理を終了する。
【００６０】
一方、制御部１０が、操作部４０から文字モードが選択されたことを示す信号を検知すると（ステップＳ２０４；文字モード）、制御部１０の予備画像読み取り手段１１は、画像読み取り部２０のスキャナヘッド３を所定の待機位置ＷＰ（例えば、図１、図２に示す待機位置ＷＰ）からスキャン開始位置であるホーム位置ＨＰ（例えば、図１、図２に示すホーム位置ＨＰ）に移動させながら、検知した原稿のサイズに基づき原稿主走査方向巾で原稿端部の一部分の画像を読み取る予備画像読み取り動作を行わせる（ステップＳ２１２）。次いで、制御部１０の輝度ヒストグラム作成手段１２は、画像読み取り部２０が読み取った原稿の画像に基づき、その原稿端部の一部分の画像の輝度ヒストグラムｈｇを作成する（ステップＳ２１３）。次いで、制御部１０のガンマ補正データ設定手段１３は、ステップＳ２１３で作成した輝度ヒストグラムｈｇに基づき、制御部１０のＲＯＭ１０ｂ（記録手段６０）からその画像に最適なガンマ補正を実施するためのガンマ補正データＧＤを選択するとともに、制御部１０のＲＡＭ１０ｃ（ガンマ補正データ記憶手段７０ａ）にそのガンマ補正データＧＤを記憶する（ステップＳ２１４）。そして、制御部１０のガンマ補正制御手段１４は、原稿の全体画像を読み取る本スキャンとともに、選択し、記憶されたガンマ補正データＧＤに基づくガンマ補正を行い（ステップＳ２１５）、画像形成処理を行う（ステップＳ２１６）。
【００６１】
次いで、制御部１０は、プラテンカバー２が開かれたか否かの判断を行う（ステップＳ２１７）。プラテンカバー２が開かれたことを示す信号が制御部１０に入力されない場合（ステップＳ２１７；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ２１７；Ｙｅｓ）、制御部１０のＲＡＭに記憶したガンマ補正データＧＤの記憶を消去して（ステップＳ２１８）、本処理を終了する。
【００６２】
このように、画像処理装置２００において、画像処理を行う原稿の画像に応じた画像モード、例えば、写真モード、文字モード等を予め操作部４０で選択、入力しておくことにより、その原稿の画像に対応した画像処理を行うことができる。よって、原稿の画像が写真画像であるか、文字画像であるかという判断を行う必要がなく、選択された画像モードに基づく画像処理を行うことができ、処理時間を短縮することができる。
【００６３】
〔第３の実施の形態〕
次に、本発明の第３の実施の形態について説明する。なお、第１、第２の実施の形態と同一部分には同一符号を付し、異なる部分についてのみ説明する。
【００６４】
画像処理装置３００の画像読み取り部２０（スキャナヘッド３）は、後述するシェーディング基準読み取り手段１６に基づき、白色基準板８の輝度に基づくシェーディングデータを読み取るシェーディング基準読み取り動作を行う。
【００６５】
画像処理装置３００における操作部４０は、画像形成速度調整モード（例えば、Ｆａｓｔモード、Ｆｉｎｅモード等）の選択が可能な操作手段を備えていてもよい。具体的には、例えば、画像処理装置３００の操作部４０は、画像形成速度調整手段として、より速く画像形成を行うＦａｓｔモードで画像形成を行うことを選択するためのＦａｓｔモードキーや、高画質の画像形成を行うＦｉｎｅモードで画像形成を行うことを選択するためのＦｉｎｅモードキーを備えている。そして、画像形成速度調整手段であるそれらキーが押下されると、押下されたことを示す押下信号が出力され、その選択された画像形成速度調整モードを示すその押下信号は、制御部１０に送られる。
【００６６】
制御部１０は、図１２に示すように、更に、シェーディング基準読み取り手段１６、補正値算出手段１７、輝度ヒストグラム補正手段１８を備えている。
【００６７】
制御部１０のシェーディング基準読み取り手段１６は、画像読み取り部２０が白色基準板８の有する基準色の輝度（濃度）に基づくシェーディングデータを読み取るシェーディング基準読み取り動作を行うために、画像読み取り部２０のスキャナヘッド３が白色基準板８の位置に移動するように、図示しない駆動部や画像読み取り部２０の動作制御を行い、その白色基準板８の輝度（シェーディングデータ）を読み取る。
【００６８】
制御部１０の補正値算出手段１７は、シェーディング基準読み取り手段１６により読み取られた第２のシェーディングデータと、後述するシェーディングデータ記憶手段７０ｂに記憶された第１ののシェーディングデータとの比較を行い、それらの差分、割合等に基づき、輝度補正値を算出する。
【００６９】
制御部１０の輝度ヒストグラム補正手段１８は、補正値算出手段１７により算出された輝度補正値に基づき、輝度ヒストグラム作成手段１２が作成した輝度ヒストグラムの補正を行う。
【００７０】
画像処理装置３００の制御部１０のＲＡＭ１０ｃは、画像読み取り部２０が読み取った原稿の画像のデータや、白色基準板８の輝度（濃度）のデータを記憶する機能を有する。特に、ＲＡＭ１０ｃは、シェーディングデータ記憶手段７０ｂを備え、制御部１０のシェーディング基準読み取り手段１６に読み取られた白色基準板８の基準色の輝度に基づくシェーディングデータ（第１のシェーディングデータ）を記憶する機能を有する。
【００７１】
本実施の形態において、上記シェーディング基準読み取り手段１６と、補正値算出手段１７と、輝度ヒストグラム補正手段１８は、ＣＰＵ１０ａと、ＲＯＭ１０ｂに格納された各処理プログラムとの協働によるソフトウエア処理によって実現される。なお、各処理プログラムの機能をＣＰＵ１０ａの制御下において動作する専用ハードウエアにより実現する構成としてもよい。
【００７２】
次に、本発明の第３の実施の形態における画像処理装置３００の動作を、図１３に示すフローチャートに沿って説明する。
図１３に示すように、画像形成装置３００の使用中に、検知部５０が、画像処理装置３００のプラテンカバー２が閉じられたこと検知し、検知部５０からプラテンカバー２が閉じられたことを示す信号が制御部１０に入力されると（ステップＳ３０１；Ｙｅｓ）、ステップＳ３０２へ進む。次いで、検知部５０が、画像処理装置３００のプラテン１に原稿が載置されていることを検知し、検知部５０からプラテン１に原稿が載置されていることを示す信号が制御部１０に入力されると（ステップＳ３０２；Ｙｅｓ）、検知部５０は、原稿のサイズを検知するとともに、原稿のサイズを示す信号を制御部１０へ入力する（ステップＳ３０３）。一方、検知部５０からプラテン１に原稿が載置されていないことを示す信号が制御部１０に入力されると（ステップＳ３０２；Ｎｏ）、ステップＳ３０１に戻る。
【００７３】
次いで、制御部１０は、どのような画像形成速度調整モード（例えば、Ｆａｓｔモード、Ｆｉｎｅモード）が選択されているか判断する（ステップＳ３０４）。制御部１０が、操作部４０から画像形成をより速く行うＦａｓｔモードが選択されたことを示す信号を検知すると（ステップＳ３０４；Ｆａｓｔモード）、制御部１０の予備画像読み取り手段１１は、画像読み取り部２０のスキャナヘッド３を所定の待機位置ＷＰ（例えば、図１、図２に示す待機位置ＷＰ）からスキャン開始位置であるホーム位置ＨＰ（例えば、図１、図２に示すホーム位置ＨＰ）に移動させながら、検知した原稿のサイズに基づき原稿主走査方向巾で原稿端部の一部分の画像を、シェーディングデータ記憶手段７０ｂに記憶された第１のシェーディングデータに基づき読み取る予備画像読み取り動作を行わせ、読み取った画像のデータを制御部１０のＲＡＭ１０ｃに記憶する（ステップＳ３０５）。次いで、制御部１０の輝度ヒストグラム作成手段１２は、ステップＳ３０５においてＲＡＭ１０ｃに記憶された原稿の画像のデータに基づき、その画像の輝度ヒストグラムを作成し、ＲＡＭ１０ｃに一時的に記憶する（ステップＳ３０６）。なお、輝度ヒストグラムの作成は、専用のハードウェアで実施してもよい。
【００７４】
次いで、制御部１０のシェーディング基準読み取り手段１６は、画像読み取り部２０のスキャナヘッド３を所定のシェーディング補正位置（Ｂ，Ｃ）に移動させ、白色基準板８の輝度に基づく第２のシェーディングデータを読み取るシェーディング基準読み取り動作を行わせる（ステップＳ３０７）。
次いで、制御部１０の補正値算出手段１７は、ステップＳ３０７において、シェーディング基準読み取り手段１６に基づき画像読み取り部２０が読み取った白色基準板８の第２のシェーディングデータと、ＲＡＭ１０ｃのシェーディングデータ記憶手段７０ｂに記憶された第１のシェーディングデータとにより、輝度補正値を算出する。そして、読み取った白色基準板８の第２のシェーディングデータや、輝度補正値を制御部１０のＲＡＭ１０ｃに記憶する（ステップＳ３０８）。なお、ここでＲＡＭ１０ｃ（シェーディングデータ記憶手段７０ｂ）に記憶された第２のシェーディングデータが、次回動作時の第１のシェーディングデータとなる。
【００７５】
次いで、制御部１０の輝度ヒストグラム補正手段１８は、ステップＳ３０６においてＲＡＭ１０ｃに記憶された輝度ヒストグラムを、ステップＳ３０８において算出された輝度補正値に基づいて補正する（ステップＳ３０９）。
そして、制御部１０のガンマ補正データ設定手段１３は、ステップＳ３０９で補正された輝度ヒストグラムに基づき、ＲＯＭ１０ｂ（記録手段６０）からその画像に最適なガンマ補正を実施するためのガンマ補正データＧＤを選択するとともに、ＲＡＭ１０ｃ（ガンマ補正データ記憶手段７０ａ）にそのガンマ補正データＧＤを記憶する（ステップＳ３１０）。そして、制御部１０のガンマ補正制御手段１４は、ステップＳ３０７においてシェーディング基準読み取り手段１６により読み取られた第２のシェーディングデータに基づき原稿の全体画像を読み取る本スキャンとともに、選択し、記憶されたガンマ補正データＧＤに基づくガンマ補正を行い（ステップＳ３１１）、画像形成処理を行う（ステップＳ３１２）。
【００７６】
ここで、ステップＳ３０５からステップＳ３１１におけるスキャナヘッド３の移動動作について、図１４に基づき説明する。
図１４に示されるように、画像処理装置のスキャナヘッド３は、所定の待機位置ＷＰ（ａ）から、基準白色板８の方向へ移動する際に（矢印 i）、待機位置ＷＰ（ａ）から原稿基準位置（Ａ）までの原稿の画像の一部分の範囲を主走査方向とは逆の方向に予備画像読み取り（バックスキャン）を行う。（Ｓ３０５）
そして、読み取った原稿の画像のデータに基づき、その画像の輝度ヒストグラムを作成する。（Ｓ３０６）
次いで、スキャナヘッド３は、２箇所のシェーディング補正位置（Ｃ、Ｂ）でシェーディング基準読み取りを行う。（Ｓ３０７）ここでは、シェーディング補正の精度を上げるために、２箇所での読み取りを行い、両データからシェーディングデータを求めているが、１箇所の読み取りでもかまわない。
そして、スキャナヘッド３は、スキャナヘッド助走開始位置（Ｄ）へ移動する（矢印 iii）。例えば、この移動を行う間などで、ステップＳ３０８、Ｓ３０９、Ｓ３１０に対応する輝度補正値の算出や、輝度ヒストグラムの補正、ガンマ補正データの選択などが行われる。
次いで、スキャナヘッド３は、原稿基準位置（Ａ）から原稿端部位置（Ｅ）までの範囲を主走査方向に移動し、本スキャンを行う（矢印 iv）。（Ｓ３１１）そして、スキャナヘッド３は、スキャナン−ホームポジションセンサー位置（Ｆ）へ移動し（矢印 v）、スキャナヘッド位置の調整が行われた後、待機位置ＷＰ（ａ）へ戻る（矢印 vi）。
【００７７】
次いで、制御部１０は、プラテンカバー２が開かれたか否かの判断を行う（ステップＳ３１３）。プラテンカバー２が開かれたことを示す信号が制御部１０に入力されない場合（ステップＳ３１３；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ３１３；Ｙｅｓ）、制御部１０のＲＡＭ１０ｃに記憶したガンマ補正データＧＤの記憶を消去して（ステップＳ３１４）、本処理を終了する。
【００７８】
一方、制御部１０が、操作部４０からより高画質の画像形成を行うＦｉｎｅモードが選択されたことを示す信号を検知すると（ステップＳ３０４；Ｆｉｎｅモード）、制御部１０のシェーディング基準読み取り手段１６は、画像読み取り部２０のスキャナヘッド３を所定のシェーディング補正位置に移動させ、白色基準板８の輝度に基づくシェーディングデータを読み取るシェーディング基準読み取り動作を行わせ、制御部１０は読み取ったシェーディングデータをＲＡＭ１０ｃに記憶する（ステップＳ３１５）。
【００７９】
次いで、制御部１０は、検知部５０の原稿サイズの検知信号に基づき、画像読み取り部２０による原稿の画像全体をシェーディング基準読み取り手段１６により読み取られたシェーディングデータに基づき読み取るプレスキャンを行い（ステップＳ３１６）、制御部１０の輝度ヒストグラム作成手段１２は、画像読み取り部２０が読み取った原稿の画像に基づき、その原稿の画像全体の輝度ヒストグラムＨＧを作成する（ステップＳ３１７）。
そして、制御部１０のガンマ補正データ設定手段１３は、ステップＳ３１７で作成された輝度ヒストグラムに基づき、ＲＯＭ１０ｂ（記録手段６０）からその画像に最適なガンマ補正を実施するためのガンマ補正データＧＤを選択するとともに、ＲＡＭ１０ｃ（ガンマ補正データ記憶手段７０ａ）にそのガンマ補正データＧＤを記憶する（ステップＳ３１８）。そして、制御部１０のガンマ補正制御手段１４は、原稿の全体画像を読み取る本スキャンとともに、選択し、記憶されたガンマ補正データＧＤに基づくガンマ補正を行い（ステップＳ３１９）、画像形成処理を行う（ステップＳ３２０）。
【００８０】
次いで、制御部１０は、プラテンカバー２が開かれたか否かの判断を行う（ステップＳ３２１）。プラテンカバー２が開かれたことを示す信号が制御部１０に入力されない場合（ステップＳ３２１；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ３２１；Ｙｅｓ）、制御部１０のＲＡＭに記憶したガンマ補正データＧＤの記憶を消去して（ステップＳ３２２）、本処理を終了する。
【００８１】
このように、画像処理装置３００は、第１のシェーディングデータに基づき作成された輝度ヒストグラムを、輝度ヒストグラム補正手段が、第２のシェーディングデータと第１のシェーディングデータとにより算出された輝度補正値によって、第２のシェーディングデータに基づく輝度ヒストグラムとして補正することができる。
そして、ガンマ補正データ設定手段１３は、第２のシェーディングデータに対応するように補正された輝度ヒストグラムに基づき、ガンマ補正データを記録手段１６より選択することができるので、第２のシェーディングデータに基づき本スキャンされた画像に最適なガンマ補正データを設定することができる。よって、画像処理装置３００は、より安定した画像処理、画像形成を行うことができる。
【００８２】
なお、本第３の実施の形態の画像処理装置３００の動作におけるステップＳ３０９において補正された輝度ヒストグラムに基づいて、第１の実施の形態の画像処理装置１００の動作におけるステップＳ１０６と同様に、その原稿の画像が文字画像であるか、写真画像であるかなどの判断を行い、それぞれの場合におけるスキャン動作を行うようにしてもよい。
【００８３】
〔第４の実施の形態〕
次に、本発明の第４の実施の形態について説明する。なお、第１〜第３の実施の形態と同一部分には同一符号を付し、異なる部分についてのみ説明する。
【００８４】
画像処理装置４００の画像読み取り部２０（スキャナヘッド３）は、制御部１０のシェーディング基準読み取り手段１６に基づき、白色基準板８の輝度に基づくシェーディングデータを読み取るシェーディング基準読み取り動作を行う。
【００８５】
画像処理装置４００における操作部４０は、画像形成速度調整モード（例えば、Ｆａｓｔモード、Ｆｉｎｅモード等）の選択が可能な操作手段を備えていてもよい。具体的には、例えば、画像処理装置４００の操作部４０は、画像形成速度調整手段として、より速く画像形成を行うＦａｓｔモードで画像形成を行うことを選択するためのＦａｓｔモードキーや、高画質の画像形成を行うＦｉｎｅモードで画像形成を行うことを選択するためのＦｉｎｅモードキーを備えている。そして、画像形成速度調整手段であるそれらキーが押下されると、押下されたことを示す押下信号が出力され、その選択された画像形成速度調整モードを示すその押下信号は、制御部１０に送られる。
【００８６】
制御部１０は、図１５に示すように、更に、シェーディング基準読み取り手段１６、補正値算出手段１７、ガンマ補正データ補正手段１９を備えている。
制御部１０のガンマ補正データ補正手段１９は、補正値算出手段１７により算出された輝度補正値に基づき、ガンマ補正データ設定手段１３が選択したガンマ補正データの補正を行う。
本実施の形態において、上記ガンマ補正データ補正手段１９は、ＣＰＵ１０ａと、ＲＯＭ１０ｂに格納された各処理プログラムとの協働によるソフトウエア処理によって実現される。なお、各処理プログラムの機能をＣＰＵ１０ａの制御下において動作する専用ハードウエアにより実現する構成としてもよい。
【００８７】
画像処理装置４００の制御部１０のＲＡＭ１０ｃは、画像読み取り部２０が読み取った原稿の画像のデータや、白色基準板８の輝度（濃度）のデータを記憶する機能を有する。特に、ＲＡＭ１０ｃは、シェーディングデータ記憶手段７０ｂを備え、制御部１０のシェーディング基準読み取り手段１６に読み取られた白色基準板８の基準色の輝度に基づくシェーディングデータ（第１のシェーディングデータ）を記憶する機能を有する。
【００８８】
次に、本発明の第４の実施の形態における画像処理装置４００の動作を、図１６に示すフローチャートに沿って説明する。
図１６に示すように、画像形成装置４００の使用中に、検知部５０が、画像処理装置４００のプラテンカバー２が閉じられたこと検知し、検知部５０からプラテンカバー２が閉じられたことを示す信号が制御部１０に入力されると（ステップＳ４０１；Ｙｅｓ）、ステップＳ４０２へ進む。次いで、検知部５０が、画像処理装置４００のプラテン１に原稿が載置されていることを検知し、検知部５０からプラテン１に原稿が載置されていることを示す信号が制御部１０に入力されると（ステップＳ４０２；Ｙｅｓ）、検知部５０は、原稿のサイズを検知するとともに、原稿のサイズを示す信号を制御部１０へ入力する（ステップＳ４０３）。一方、検知部５０からプラテン１に原稿が載置されていないことを示す信号が制御部１０に入力されると（ステップＳ４０２；Ｎｏ）、ステップＳ４０１に戻る。
【００８９】
次いで、制御部１０は、どのような画像形成速度調整モード（例えば、Ｆａｓｔモード、Ｆｉｎｅモード）が選択されているか判断する（ステップＳ４０４）。制御部１０が、操作部４０から画像形成をより速く行うＦａｓｔモードが選択されたことを示す信号を検知すると（ステップＳ４０４；Ｆａｓｔモード）、制御部１０の予備画像読み取り手段１１は、画像読み取り部２０のスキャナヘッド３を所定の待機位置ＷＰ（例えば、図１、図２に示す待機位置ＷＰ）からスキャン開始位置であるホーム位置ＨＰ（例えば、図１、図２に示すホーム位置ＨＰ）に移動させながら、検知した原稿のサイズに基づき原稿主走査方向巾で原稿端部の一部分の画像を、シェーディングデータ記憶手段７０ｂに記憶された第１のシェーディングデータに基づき読み取る予備画像読み取り動作を行わせ、読み取った画像のデータを制御部１０のＲＡＭ１０ｃに記憶する（ステップＳ４０５）。次いで、制御部１０の輝度ヒストグラム作成手段１２は、ステップＳ４０５においてＲＡＭ１０ｃに記憶された原稿の画像のデータに基づき、その画像の輝度ヒストグラムを作成し、ＲＡＭ１０ｃに一時的に記憶する（ステップＳ４０６）。なお、輝度ヒストグラムの作成は、専用のハードウェアで実施してもよい。
【００９０】
次いで、制御部１０のシェーディング基準読み取り手段１６は、画像読み取り部２０のスキャナヘッド３を所定のシェーディング補正位置（Ｂ，Ｃ）に移動させ、白色基準板８の輝度に基づく第２のシェーディングデータを読み取るシェーディング基準読み取り動作を行わせる（ステップＳ４０７）。
次いで、制御部１０の補正値算出手段１７は、ステップＳ４０７において、シェーディング基準読み取り手段１６に基づき画像読み取り部２０が読み取った白色基準板８の第２のシェーディングデータと、ＲＡＭ１０ｃのシェーディングデータ記憶手段７０ｂに記憶された第１のシェーディングデータとにより、輝度補正値を算出する。そして、読み取った白色基準板８の第２のシェーディングデータや、輝度補正値を制御部１０のＲＡＭ１０ｃに記憶する（ステップＳ４０８）。なお、ここでＲＡＭ１０ｃ（シェーディングデータ記憶手段７０ｂ）に記憶された第２のシェーディングデータが、次回動作時の第１のシェーディングデータとなる。
【００９１】
次いで、制御部１０のガンマ補正データ設定手段１３は、ステップＳ４０６で作成され、記憶された輝度ヒストグラムに基づき、ＲＯＭ１０ｂ（記録手段６０）からその画像に最適なガンマ補正を実施するためのガンマ補正データＧＤを選択する（ステップＳ４０９）。そして、制御部１０のガンマ補正データ補正手段１９は、ステップＳ４０９において選択されたガンマ補正データＧＤを、ステップＳ４０８において算出された輝度補正値に基づいて補正するとともに、その補正したガンマ補正データをＲＡＭ１０ｃ（ガンマ補正データ記憶手段７０ａ）に記憶する（ステップＳ４１０）。
そして、制御部１０のガンマ補正制御手段１４は、ステップＳ４０７においてシェーディング基準読み取り手段１６により読み取られた第２のシェーディングデータに基づき原稿の全体画像を読み取る本スキャンとともに、選択ステップＳ４１０において補正されたガンマ補正データに基づくガンマ補正を行い（ステップＳ４１１）、画像形成処理を行う（ステップＳ４１２）。
【００９２】
ここで、ステップＳ４０５からステップＳ４１１におけるスキャナヘッド３の移動動作について、図１４に基づき説明する。
図１４に示されるように、画像処理装置のスキャナヘッド３は、所定の待機位置ＷＰ（ａ）から、基準白色板８の方向へ移動する際に（矢印 i）、待機位置ＷＰ（ａ）から原稿基準位置（Ａ）までの原稿の画像の一部分の範囲を主走査方向とは逆の方向に予備画像読み取り（バックスキャン）を行う。（Ｓ４０５）
そして、読み取った原稿の画像のデータに基づき、その画像の輝度ヒストグラムを作成する。（Ｓ４０６）
次いで、スキャナヘッド３は、２箇所のシェーディング補正位置（Ｃ、Ｂ）でシェーディング基準読み取りを行う。（Ｓ４０７）ここでは、シェーディング補正の精度を上げるために、２箇所での読み取りを行い、両データからシェーディングデータを求めているが、１箇所の読み取りでもかまわない。
そして、スキャナヘッド３は、スキャナヘッド助走開始位置（Ｄ）へ移動する（矢印 iii）。例えば、この移動を行う間などで、ステップＳ４０８、Ｓ４０９、Ｓ４１０に対応する輝度補正値の算出や、ガンマ補正データの選択、ガンマ補正データの補正などが行われる。
次いで、スキャナヘッド３は、原稿基準位置（Ａ）から原稿端部位置（Ｅ）までの範囲を主走査方向に移動し、本スキャンを行う（矢印 iv）。（Ｓ４１１）そして、スキャナヘッド３は、スキャナン−ホームポジションセンサー位置（Ｆ）へ移動し（矢印 v）、スキャナヘッド位置の調整が行われた後、待機位置ＷＰ（ａ）へ戻る（矢印 vi）。
【００９３】
次いで、制御部１０は、プラテンカバー２が開かれたか否かの判断を行う（ステップＳ４１３）。プラテンカバー２が開かれたことを示す信号が制御部１０に入力されない場合（ステップＳ４１３；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ４１３；Ｙｅｓ）、制御部１０のＲＡＭ１０ｃに記憶したガンマ補正データＧＤの記憶を消去して（ステップＳ４１４）、本処理を終了する。
【００９４】
一方、制御部１０が、操作部４０からより高画質の画像形成を行うＦｉｎｅモードが選択されたことを示す信号を検知すると（ステップＳ４０４；Ｆｉｎｅモード）、制御部１０のシェーディング基準読み取り手段１６は、画像読み取り部２０のスキャナヘッド３を所定のシェーディング補正位置に移動させ、白色基準板８の輝度に基づくシェーディングデータを読み取るシェーディング基準読み取り動作を行わせ、制御部１０は読み取ったシェーディングデータをＲＡＭ１０ｃに記憶する（ステップＳ４１５）。
【００９５】
次いで、制御部１０は、検知部５０の原稿サイズの検知信号に基づき、画像読み取り部２０による原稿の画像全体をシェーディング基準読み取り手段１６により読み取られたシェーディングデータに基づき読み取るプレスキャンを行い（ステップＳ４１６）、制御部１０の輝度ヒストグラム作成手段１２は、画像読み取り部２０が読み取った原稿の画像に基づき、その原稿の画像全体の輝度ヒストグラムＨＧを作成する（ステップＳ４１７）。
次いで、制御部１０のガンマ補正データ設定手段１３は、ステップＳ４１７で作成された輝度ヒストグラムに基づき、ＲＯＭ１０ｂ（記録手段６０）からその画像に最適なガンマ補正を実施するためのガンマ補正データＧＤを選択するとともに、ＲＡＭ１０ｃ（ガンマ補正データ記憶手段７０ａ）にそのガンマ補正データＧＤを記憶する（ステップＳ４１８）。そして、制御部１０のガンマ補正制御手段１４は、原稿の全体画像を読み取る本スキャンとともに、選択し、記憶されたガンマ補正データＧＤに基づくガンマ補正を行い（ステップＳ４１９）、画像形成処理を行う（ステップＳ４２０）。
【００９６】
次いで、制御部１０は、プラテンカバー２が開かれたか否かの判断を行う（ステップＳ４２１）。プラテンカバー２が開かれたことを示す信号が制御部１０に入力されない場合（ステップＳ４２１；Ｎｏ）、プラテンカバー２が開かれたことを示す信号が入力されるまで繰り返し、待機する。一方、検知部５０からプラテンカバー２が開かれたことを示す信号が制御部１０に入力されると（ステップＳ４２１；Ｙｅｓ）、制御部１０のＲＡＭに記憶したガンマ補正データＧＤの記憶を消去して（ステップＳ４２２）、本処理を終了する。
【００９７】
このように、画像処理装置４００は、第１のシェーディングデータに基づき選択されたガンマ補正データを、ガンマ補正データ補正手段が、第２のシェーディングデータと第１のシェーディングデータとにより算出された輝度補正値によって、第２のシェーディングデータに基づくガンマ補正データとして補正することができる。
そして、ガンマ補正制御手段１４は、第２のシェーディングデータに対応するように補正されたガンマ補正データに基づいて、ガンマ補正を実施することができるので、第２のシェーディングデータに基づき本スキャンされた画像に最適なガンマ補正を行うことができる。よって、画像処理装置４００は、より安定した画像処理、画像形成を行うことができる。
【００９８】
なお、以上の実施の形態においては、画像処理装置（１００、２００、３００、４００）の制御動作、処理について、第１から第４の実施の形態として、個々に説明したが、それぞれの制御動作や処理を複合した制御動作処理、例えば、画像モードの自動選択処理（第１の実施の形態）、画像モードマニュアル選択処理（第２の実施の形態）、画像形成速度調整処理（第３、４の実施の形態）を一連の一つ動作として行うようにし、それら各処理を場合により選択するように使い分けて画像形成を行ってもよい。
【００９９】
また、本実施の形態のおいては、制御部１０のガンマ補正データ設定手段１３は、輝度ヒストグラム作成手段１２が作成した輝度ヒストグラムに基づき、その画像に最適なガンマ補正を実施するためのガンマ補正データを、制御部１０のＲＯＭ１０ｂ（記録手段６０）に記録、格納されたガンマ補正データ群の中から選択し、設定するとしたが、本発明はこれに限定されるものではなく、ガンマ補正データ設定手段１３は、輝度ヒストグラム作成手段１２が作成した輝度ヒストグラムに基づき、制御部１０のＲＯＭ１０ｂに記録された所定の演算式によりガンマ補正データを算出し、設定するようにしてもよい。
【０１００】
また、第３、第４の実施の形態において、画像処理装置（３００、４００）が起動する際、画像処理装置は、まず、白色基準板８の輝度に基づくシェーディングデータを読み取り、第１のシェーディングデータをＲＡＭ１０ｃのシェーディングデータ記憶手段７０ｂに記憶することが望ましい。
【０１０１】
また、画像読み取り部２０のスキャナヘッド３の待機位置ＷＰは、画像の種類を判定できる程度、原稿の画像の一部分を読み取ることが可能な位置であればよく、様々なサイズの各種原稿に対して対応が可能であることが好ましい。例えば、原稿の端部４０ｍｍを読み取ることで画像の種類を判定することができるとした場合、ホーム位置ＨＰから４０ｍｍ離れた位置がスキャナヘッド３の待機位置ＷＰとなる。
【０１０２】
また、制御部１０のＲＡＭ１０ｃに記憶されたガンマ補正データＧＤの消去は、プラテンカバー２を開く動作の検知に基づき行うことに限らず、例えば、操作部４０で行う消去動作であってもよい。
【０１０３】
また、画像モードは、写真モード、文字モードに限ったものでなく、絵画モード、カラーモード、モノクロモード、高画質モード、ドラフトモード、等任意の画像モードであってよく、その画像モードに適した画像処理制御を行うようにすればよい。
【０１０４】
また、このガンマ補正データＧＤは、複数のガンマ補正値から構成されており、その構成はガンマ補正テーブル等、任意である。
また、画像読み取り部２０、原稿送り装置７の構成等も任意であり、その他、具体的な細部構造等についても適宜に変更可能であることは勿論である。
【０１０５】
【発明の効果】
請求項１記載の発明によれば、予備画像読み取りにより読み取られた原稿の一部分における画像の輝度ヒストグラムを輝度ヒストグラム作成手段が作成し、その作成された輝度ヒストグラムに基づき、画像判断手段が原稿の画像が文字画像であるか、写真画像であるかの判断を行う。
画像判断手段が原稿の画像が文字画像であると判断した場合、輝度ヒストグラム作成手段が作成した輝度ヒストグラムに基づき、ガンマ補正データ設定手段が、最適なガンマ補正を実施するためのガンマ補正データを選択或いは算出し、設定するので、その設定されたガンマ補正データに基づいて、原稿の全体画像を読み取る本スキャン時にガンマ補正を実施する画像処理を行うことができる。
また、画像判断手段が原稿の画像が写真画像であると判断した場合には、原稿の画像全体の特徴点を抽出するプレスキャンを行い、そのプレスキャンの結果に基づくガンマ補正を本スキャン時に行うことができる。
つまり、写真画像のようにプレスキャンが必要な画像に対してはプレスキャンを行う精密な画像処理を行うことができる。また、原稿の画像が文字画像である場合には、原稿の全体画像を読み取るプレスキャンを行わずに、原稿の一部分の画像を読み取る予備画像読み取りを実行することにより、本スキャン時のガンマ補正を実施することができ、処理時間の短縮を図った画像処理を行うことができる。
よって、原稿の画像に応じた効率のよい画像処理を行うことができる。
【０１０７】
請求項２記載の発明によれば、請求項１に記載の発明と同様の効果が得られることは無論のこと、特に、画像選択手段により文字画像が選択された場合には、予備画像読み取りにより読み取った原稿の一部分における画像の輝度ヒストグラムを輝度ヒストグラム作成手段が作成し、その作成された輝度ヒストグラムに基づき、ガンマ補正データ設定手段が、最適なガンマ補正を実施するためのガンマ補正データを選択或いは算出し、設定するので、その設定されたガンマ補正データに基づいて、原稿の全体画像を読み取る本スキャン時にガンマ補正を実施する画像処理を行うことができる。
また、画像選択手段により写真画像が選択された場合には、原稿の画像全体の特徴点を抽出するプレスキャンを行い、そのプレスキャンの結果に基づくガンマ補正を本スキャン時に行うことができる。
つまり、写真画像のようにプレスキャンが必要な画像に対しては予め写真画像を選択し、プレスキャンを行う精密な画像処理を行うことができる。また、原稿の画像が文字画像である場合には、予め文字画像を選択し、原稿の全体画像を読み取るプレスキャンを行わずに、原稿の一部分の画像を読み取る予備画像読み取りを実行することにより、本スキャン時のガンマ補正を実施する画像処理を行うことができる。
よって、原稿の画像を選択することによって、更に効率的な画像処理を行うことができる。
【０１０８】
請求項３記載の発明によれば、請求項１又は請求項２に記載の発明と同様の効果が得られることは無論のこと、特に、制御部は、検知手段によるプラテンカバーが閉じられていることの検知に基づいて、画像読み取り部を所定の待機位置よりホーム位置に移動させながら、原稿の端部の一部分の画像を読み取る予備画像読み取りを実行するので、予備画像読み取り後、画像読み取り部はホーム位置から直ぐプレスキャン、本スキャン動作に移ることができるので、予備画像読み取りの動作からプレスキャンや本スキャンの動作に移行する際に無駄がなく、処理動作の効率化が図れる。
また、原稿がプラテンに載置され、検知手段によるプラテンカバーが閉じられていることの検知に基づいて、予備画像読み取りを行うので、予備画像読み取りの動作の操作指示の必要がなく、処理動作の効率化が図れる。
【０１０９】
請求項４記載の発明によれば、請求項３に記載の発明と同様の効果が得られることは無論のこと、特に、検知手段によるプラテンカバーが閉じられたことの検知後、ガンマ補正データ設定手段によって設定されたガンマ補正データを、少なくともプラテンカバーが再び開かれたと検知手段が検知するまでガンマ補正データ記憶手段に記憶することができるので、原稿の処理毎にガンマ補正データの選択をする必要がなくなり、処理動作の効率化が図れる。
【０１１０】
請求項５記載の発明によれば、請求項１〜４の何れか一項に記載の発明と同様の効果が得られることは無論のこと、特に、画像処理装置における補正値算出手段が、シェーディング基準読み取り手段により読み取られたシェーディング基準板の基準色の輝度に基づく第２のシェーディングデータと、シェーディングデータ記憶手段に記憶された第１のシェーディングデータとにより、輝度補正値を算出する。そして、輝度ヒストグラム補正手段がその輝度補正値に基づき、輝度ヒストグラム作成手段により作成された輝度ヒストグラムを補正し、ガンマ補正データ設定手段がその補正された輝度ヒストグラムに基づいて、ガンマ補正データの選択、或いは所定の演算式よりガンマ補正データの算出を行い、最適なガンマ補正データを設定する。
つまり、画像処理装置は、第２のシェーディングデータと第１のシェーディングデータとにより補正値算出手段が算出した輝度補正値に基づき、例えば、第１のシェーディングデータで補正して作成された輝度ヒストグラムを、輝度ヒストグラム補正手段が、第２のシェーディングデータに基づく輝度ヒストグラムとして補正することで、第２のシェーディングデータで補正された画像に最適な輝度ヒストグラムとすることができる。そして、画像処理装置のガンマ補正データ設定手段は、第１のシェーディングデータの影響が打ち消され、第２のシェーディングデータに対応するように補正された輝度ヒストグラムに基づいて、ガンマ補正データの選択、或いは所定の演算式よりガンマ補正データの算出を行い、最適なガンマ補正データを設定することができる。
よって、画像処理装置は、第１のシェーディングデータの影響を受けることなく、所定の基準に準じた画像形成、画像処理が可能になる。
【０１１１】
請求項６記載の発明によれば、請求項１〜４の何れか一項に記載の発明と同様の効果が得られることは無論のこと、特に、画像処理装置における補正値算出手段が、シェーディング基準読み取り手段により読み取られたシェーディング基準板の基準色の輝度に基づく第２のシェーディングデータと、シェーディングデータ記憶手段に記憶された第１のシェーディングデータとにより、輝度補正値を算出する。そして、ガンマ補正データ補正手段がその輝度補正値に基づき、ガンマ補正データ設定手段により設定されたガンマ補正データを補正し、ガンマ補正制御手段がその補正されたガンマ補正データに基づいて、ガンマ補正を実施する。
つまり、画像処理装置は、第２のシェーディングデータと第１のシェーディングデータとにより補正値算出手段が算出した輝度補正値に基づき、例えば、第１のシェーディングデータで補正されて設定されたガンマ補正データを、ガンマ補正データ補正手段が、第２のシェーディングデータに基づくガンマ補正データとして補正することで、第２のシェーディングデータで補正された画像に最適なガンマ補正データとすることができる。そして、画像処理装置のガンマ補正制御手段は、第１のシェーディングデータの影響が打ち消され、第２のシェーディングデータに対応するように補正されたガンマ補正データに基づいて、ガンマ補正を実施することができる。
よって、画像処理装置は、第１のシェーディングデータの影響を受けることなく、所定の基準に準じた画像形成、画像処理が可能になる。
【図面の簡単な説明】
【図１】本発明にかかる画像形成装置の斜視図である。
【図２】本発明にかかる画像形成装置における画像読み取り部、及びプラテンカバーに設けられた原稿送り装置を模式的に示した断面図である。
【図３】本発明の第１の実施の形態における画像形成装置の要部構成を示すブロック図である。
【図４】本発明の第１の実施の形態における動作を示すフローチャートである。
【図５】輝度ヒストグラムの模式図である。（ａ）は通常の文字原稿の輝度ヒストグラムであり、（ｂ）は写真原稿の輝度ヒストグラムである。
【図６】本発明にかかる輝度ヒストグラムの原稿型判断動作を示すフローチャートである。
【図７】地肌型の画像（通常の文字原稿）の輝度ヒストグラムと、その輝度ヒストグラムに対応したガンマ補正データＧＤを示す図である。
【図８】反転型の画像（黒・暗色地に白抜き文字原稿）の輝度ヒストグラムと、その輝度ヒストグラムに対応したガンマ補正データＧＤを示す図である。
【図９】その他型の画像（写真原稿）の輝度ヒストグラムと、その輝度ヒストグラムに対応したガンマ補正データＧＤを示す図である。
【図１０】本発明の第２の実施の形態における画像形成装置の要部構成を示すブロック図である。
【図１１】本発明の第２の実施の形態における動作を示すフローチャートである。
【図１２】本発明の第３の実施の形態における画像形成装置の要部構成を示すブロック図である。
【図１３】本発明の第３の実施の形態における動作を示すフローチャートである。
【図１４】第３、第４の実施の形態における動作に関するスキャナヘッドの移動動作を示す説明図である。
【図１５】本発明の第４の実施の形態における画像形成装置の要部構成を示すブロック図である。
【図１６】本発明の第４の実施の形態における動作を示すフローチャートである。
【図１７】従来の画像処理装置におけるスキャナヘッドの移動動作を示す説明図である。
【符号の説明】
１      プラテン
２      プラテンカバー
３      スキャナヘッド
４      ＣＣＤユニット
５      ミラー
６      スケール板
７      原稿送り装置
８      白色基準板（シェーディング基準板）
１０    制御部
１１  予備画像読み取り手段
１２  輝度ヒストグラム作成手段
１３  ガンマ補正データ設定手段
１４  ガンマ補正制御手段
１５  画像判断手段
１６  シェーディング基準読み取り手段
１７  補正値算出手段
１８  輝度ヒストグラム補正手段
１９  ガンマ補正データ補正手段
１０ａ  ＣＰＵ
１０ｂ  ＲＯＭ
６０  記録手段
１０ｃ  ＲＡＭ
７０ａ  ガンマ補正データ記憶手段
７０ｂ  シェーディングデータ記憶手段
２０    画像読み取り部
３０    記憶部
４０    操作部
４１  画像選択手段
５０    検知部（検知手段）
１００、２００、３００、４００  画像処理装置
ｈｇ、ＨＧ  輝度ヒストグラム、全体輝度ヒストグラム
ＧＤ        ガンマ補正データ
ＷＰ    待機位置
ＨＰ    ホーム位置
【図１】
0004200779.tif 000002
【図２】
0004200779.tif 000003
【図３】
0004200779.tif 000004
【図４】
0004200779.tif 000005
【図５】
0004200779.tif 000006
【図６】
0004200779.tif 000007
【図７】
0004200779.tif 000008
【図８】
0004200779.tif 000009
【図９】
0004200779.tif 000010
【図１０】
0004200779.tif 000011
【図１１】
0004200779.tif 000012
【図１２】
0004200779.tif 000013
【図１３】
0004200779.tif 000014
【図１４】
0004200779.tif 000015
【図１５】
0004200779.tif 000016
【図１６】
0004200779.tif 000017
【図１７】
0004200779.tif 000018